(57)【要約】【課題】操作軸を傾倒させるために必要な力を、容易に変更することができる多方向入力装置の提供。【解決手段】筐体２０の外部に、操作軸１０を中立方向へ復帰させるように付勢する付勢手段を設けた。この付勢手段は、操作軸１０が挿通されるコイルばね１４と、操作軸１０に設けられコイルばね１４の一端を受ける第１ばね受け１１ａと、筐体２０の上面を形成する円板部２９ｂからなり、コイルばね１４の他端を受ける第２ばね受け２９ｂとから構成してある。【選択図】図２
2006294303.tif 000002
【特許請求の範囲】
【請求項１】
筐体と、この筐体から突出する傾倒操作可能な操作軸と、前記筐体の内部に設けられ、前記操作軸を中立方向へ復帰させるように付勢する付勢手段とを備える多方向入力装置であって、
前記筐体の外部に設けられ、前記操作軸を中立方向へ復帰させるように付勢する前記付勢手段とは別の付勢手段を備えることを特徴とする多方向入力装置。
【請求項２】
請求項１記載の発明において、
前記別の付勢手段が、前記操作軸が挿通されるコイルばねと、前記操作軸に設けられ、前記コイルばねの一端を受ける第１ばね受けと、前記筐体側に設けられ、前記コイルばねの他端を受ける第２ばね受けとを備え、前記操作軸の傾倒操作に伴って前記コイルばねが圧縮されることを特徴とする多方向入力装置。
【請求項３】
請求項２記載の発明において、
前記第１ばね受けが、前記操作軸と別体であって前記操作軸が挿通される挿通孔を有するばね受け部材に設けられ、
前記操作軸が、前記挿通孔から突出してナットが螺合する雄ねじ部を有することを特徴とする多方向入力装置。
【請求項４】
請求項３記載の発明において、
前記ばね受け部材につまみが取付けられることを特徴とする多方向入力装置。
【請求項５】
請求項２〜４のいずれか１項に記載の発明において、
前記操作軸が軸方向へ押圧操作可能に支持され、
前記筐体の内部に、前記操作軸の押圧操作を検出するスイッチを備えることを特徴とする多方向入力装置。
【発明の詳細な説明】
【技術分野】
【０００１】
本発明は、筐体と、この筐体から突出する傾倒操作可能な操作軸と、筐体の内部に設けられ、操作軸を中立方向へ復帰させるように付勢する付勢手段とを備える多方向入力装置に関する。
【背景技術】
【０００２】
従来の多方向入力装置としては、例えば特許文献１に示される従来技術がある。この従来技術は、筐体と、この筐体から突出する傾倒操作可能な操作軸と、筐体の内部に設けられ、操作軸の中立方向への付勢をコイルばねの弾性力により行う付勢手段を備えている。
【特許文献１】特開２０００−２４３１８７号公報
【発明の開示】
【発明が解決しようとする課題】
【０００３】
前述した従来技術では、操作軸を傾倒させるために必要な作動力が、コイルばねにより決まるので、作動力を変更する場合には、コイルばねを、ばね定数の異なる別のものに変更すればよい。しかし、筐体の小型化に伴って、筐体内に設けることのできるコイルばねの寸法が制限されると、作動力を増大させる変更が困難になる。
【０００４】
本発明は、前述の実状を考慮してなされたものであり、その目的は、操作軸を傾倒させるために必要な力を、容易に変更することができる多方向入力装置を提供することにある。
【課題を解決するための手段】
【０００５】
〔１〕  本発明は、前述の目的を達成するために、筐体と、この筐体から突出する傾倒操作可能な操作軸と、前記筐体の内部に設けられ、前記操作軸を中立方向へ復帰させるように付勢する付勢手段とを備える多方向入力装置であって、前記筐体の外部に設けられ、前記操作軸を中立方向へ復帰させるように付勢する前記付勢手段とは別の付勢手段を備えることを特徴とする。
【０００６】
このように構成した本発明では、別の付勢手段により操作軸に与える付勢力を変更することによって、操作軸を傾倒させるために必要な作動力を変更することができる。また、筐体の内部よりも寸法の制限が小さい筐体の外部に、別の付勢手段が設けられているので、別の付勢手段の寸法の変更を容易に行うことができる。これらのことから、作動力を容易に変更することができる。
【０００７】
〔２〕  本発明は、〔１〕記載の発明において、前記別の付勢手段が、前記操作軸が挿通されるコイルばねと、前記操作軸に設けられ、前記コイルばねの一端を受ける第１ばね受けと、前記筐体側に設けられ、前記コイルばねの他端を受ける第２ばね受けとを備え、前記操作軸の傾倒操作に伴って前記コイルばねが圧縮されることを特徴とする。
【０００８】
このように構成した本発明では、コイルばねをばね定数の異なる別のものに変更することによって、作動力を変更することができる。また、操作軸および筐体は共通部品とすることができるので、作動力の変更の要求に対して容易に対応することができる。また、操作軸の傾倒操作に伴って圧縮されるコイルばねの復元力が操作軸と筐体側とに作用するので、筐体に対する操作軸のガタつきを低減することができる。
【０００９】
〔３〕  本発明は、〔２〕記載の発明において、前記第１ばね受けが、前記操作軸と別体であって前記操作軸が挿通される挿通孔を有するばね受け部材に設けられ、前記操作軸が、前記挿通孔から突出してナットが螺合する雄ねじ部を有することを特徴とする。
【００１０】
このように構成した本発明では、第１ばね受けを、ナットにより簡単かつ確実に操作軸に設けることができる。
【００１１】
〔４〕  本発明は、〔３〕記載の発明において、前記ばね受け部材につまみが取付けられることを特徴とする。
【００１２】
このように構成した本発明では、操作軸の軸方向に直交する方向おける寸法が、操作軸よりも大きなばね受け部材に、つまみが取付けられるので、操作軸に対するつまみの安定性を向上させることができる。
【００１３】
〔５〕  本発明は、〔２〕〜〔４〕のいずれか１項に記載の発明において、前記操作軸が軸方向へ押圧操作可能に設けられ、前記筐体の内部に、前記操作軸の押圧操作を検出するスイッチを備えることを特徴とする。
【００１４】
このように構成した本発明では、プッシュスイッチ付きの多方向入力装置としても使用できる。また、別の付勢手段のコイルばねを、ばね定数の異なる別のものに変更することで、操作軸を軸方向へ移動させるために必要な作動力、すなわちプッシュスイッチの作動力も変更することができる。
【発明の効果】
【００１５】
本発明では、別の付勢手段により操作軸に与える付勢力を変更することによって、操作軸を傾倒させるために必要な作動力を変更することができる。また、筐体の内部よりも寸法の制限が小さい筐体の外部に、別の付勢手段が設けられているので、別の付勢手段の寸法の変更を容易に行うことができる。これらのことから、作動力を容易に変更することができ、特に作動力を容易に増大させることができる。
【発明を実施するための最良の形態】
【００１６】
本発明の多方向入力装置の一実施形態について図を用いて説明する。
【００１７】
図１は、本実施形態の分解斜視図、図２は、図１に示す実施形態の要部を断面で示す部分断面図、図３は、図１に示す入力装置本体の上面図、図４は、図１に示す入力装置本体の内部を示す縦断面図、図５は、図１に示す入力装置本体に備えられる筐体（ケース）の上面図、図６は、図４に示す可動接点板およびガイド体の上面図、図７は、図４に示す蓋体および固定接点の下面図、図８は、図４に示す押圧部材の上面図、図９は、図８に示す押圧部材の縦断面図、図１０は、図８に示す押圧部材の下面図、図１１は、図４に示すゴム体の上面図は、図１２は、図１１に示すゴム体の縦断面図、図１３は、図１１に示すゴム体の下面図、図１４は、図２に示す要部の傾倒操作時の状態の一例を示す部分断面図、図１５は、図４に示す入力装置本体の内部の傾倒操作時の状態の一例を示す縦断面図である。
【００１８】
図１，２に示すように、本実施形態は、筐体２０と、この筐体２０から突出する金属製の操作軸１０とを含む入力装置本体１５と、操作者が操作力を付与するつまみ１が取付けられるばね受け部材１１等を備えている。
【００１９】
図３に示すように、筐体２０は、その上面視形状を正８角形状に形成してある。また、図４に示すように、筐体２０は、上部で開口する有底のケース２１と、ケース２１を塞ぐ蓋体２７とを備え、これらにより収納空間２８を形成している。ケース２１と蓋体２７は合成樹脂からなる。また、筐体２０は、蓋体２７とケース２１を固定する金属製の固定部材２９を備えている。この固定部材２９は、操作軸１０を挿通する挿通孔２９ａが形成され、蓋体２７上に配置される円板部２９ｂと、この円板部２９ｂの周縁部から下方に垂下され、ケース２１に固定される４つの脚部２９ｃとを有している。
【００２０】
また、本実施形態は、筐体２０の内部に設けられ、操作軸１０を中立方向へ復帰するように付勢する付勢手段（後述する）と、筐体２０の外部に設けられ、前記付勢手段とは別の付勢手段とを備えている。別の付勢手段が、本実施形態の要部である。
【００２１】
この別の付勢手段は、図２に示すように、入力装置本体１５の筐体２０の外部、例えば、筐体２０の上面とつまみ１との間に設けてあり、コイルばね１４と、操作軸１０に設けられコイルばね１４の一端を受ける第１ばね受け１１ａと、筐体２０側に設けられコイルばね１４の他端を受ける第２ばね受け、例えば固定部材２９の円板部２９ｂとから構成してある。
【００２２】
第１ばね受け１１ａは、例えば操作軸１０に取付けられるばね受け部材１１に形成してある。このばね受け部材１１は、合成樹脂からなり、第１ばね受け１１ａの内周側に設けられ、操作軸１０が挿通される挿通孔を形成する内筒部１１ｂと、第１ばね受け１１ａの外周側に位置し、ばね受け部材１１の外周面を形成する外筒部１１ｃとを有している。
【００２３】
操作軸１０は、ばね受け部材１１の内筒部１１ｂに挿通された状態において、筐体２０の方向へのばね受け部材１１の移動を阻止する阻止部１０ａ，１０ｂを有している。ばね受け部材１１の内筒部１１ｂの内周面には、阻止部１０ａ，１０ｂのそれぞれに当接する当接部１１ｄ，１１ｅを形成してある。また、操作軸１０は、内筒部１１ｂから突出してナット１３が螺合する雄ねじ部１０ｃを有している。そして、雄ねじ部１０ｃにナット１３が螺合した状態では、ばね受け部材１１が操作軸１０の軸方向に移動するのを、コイルばね１４の付勢力によって阻止している。
【００２４】
図３に示すように、操作軸１０の外周面には軸方向に平行な平面１０ｄを形成してある。図２に示すように、内筒部１１ｂの内周面には、平面１０ｄに当接する平面１１ｆを形成してある。操作軸１０とばね受け部材１１は、これらの平面１０ｄ，１１ｆによって、相対的に回転するのを防止されている。
【００２５】
図１に示すように、つまみ１には、ばね受け部材１１が嵌合する非円形状の嵌合穴１ａを形成してある。この嵌合穴１ａの内周面には、軸方向に平行な平面１ｂを形成してあり、ばね受け部材１１の外周面には、平面１ｂに当接する平面１１ｇを形成してある。つまみ１とばね受け部材１１は、これらの平面１ｂ，１１ｇによって、相対的に回転するのを防止されている。
【００２６】
図４，５に示すように、ケース２１の内底面の中央には、固定接点２２を設けてある。この固定接点２２は、ケース２１から垂下する端子２２ａと一体に形成してある。また、固定接点２２の周囲には、この固定接点２２を挟んで対向する２つのコモン接点２３を設けてある。これらのコモン接点２３は、ケース２１から垂下する３つの端子２３ａと、導電部２３ｂを介して一体に形成してある。なお、図５において、斜線部は、ケース２１に埋設された固定接点２２およびコモン接点２３のうちのケース２１の内底面から露出した部分、並びに端子２２ａ，２３ａである。
【００２７】
図４に示すように、ケース２１の内底面には、固定接点２２およびコモン接点２３を覆い、金属板等からなり導電性を有するドーム状の導電部材２４を配置してある。つまり、固定接点２２と、コモン接点２３と、導電部材２４とから、操作軸１０の押圧操作を検出するスイッチ（以下「押圧検出スイッチ」という）を構成してある。また、導電部材２４の外周側に位置するケース２１の内底面には、突起２１ａを設けてある。この突起２１ａは、図５に示すように円弧状に形成されており、図４に示すように導電部材２４を位置決めしている。
【００２８】
導電部材２４の上方には、操作軸１０を配置してある。導電部材２４と操作軸１０の間には、操作軸１０の下端により押圧操作される押圧部材２５と、突起２１ａの内側に嵌め入れられ、導電部材２４に上方から当接するゴム体２６とを設けてある。
【００２９】
押圧部材２５は、図８に示すように、上面視形状が円形の部材である。図４，８，９に示すように、押圧部材２５の上面中央には、操作軸１０の下端を受ける球面状の受け部２５ａを設けてある。図４，９，１０に示すように、押圧部材２５の下面中央には、突起２５ｂを設けてある。
【００３０】
ゴム体２６は、図１１に示すように、上面視形状が円形の部材である。図４，１２に示すように、ゴム体２６の中央には、押圧部材２５の突起２５ｂと嵌合する嵌合孔２６ａを形成してある。
【００３１】
また、図４に示すように、蓋体２７には、上部の開口の内径が下部の開口の内径よりも小さくなるように傾斜した内周面を有するガイド孔２７ａを設けてある。このガイド孔２７ａには、ガイド体３３を挿入してある。このガイド体３３は、ガイド孔２７ａの内周面と略平行な傾斜面からなるガイド面３３ｃを有する。図４，６に示すように、ガイド体３３の中央には挿通孔３３ａを設けてあり、この挿通孔３３ａに操作軸１０を挿通してある。
【００３２】
操作軸１０の下端部の外周面には、軸方向に平行な平面１０ｅを設けてある。ガイド体３３の挿通孔３３ａの下端の内周面には、操作軸１０の平面１０ｅと当接する平面３３ｄを設けてある。つまり、操作軸１０とガイド体３３の相対的な回転を、平面１０ｅ，３３ｄにより阻止してある。なお、操作軸１０は、ガイド体３３に対してその軸方向に下方側へスライド移動可能にとなっている。
【００３３】
また、図４，６に示すように、ガイド体３３には、蓋体２７に対向して配置される可動接点板３１をインサート成形により固定（埋設）してある。この可動接点板３１は、上面視形状を正方形状に形成した導電性を有する部材である。この可動接点板３１の４つの角部のそれぞれには、外側方に向かって突出し、後述する固定接点３０に接触する接触部３１ａを設けてある。ケース２１の内側面には、操作軸１０の動作に伴う各接触部３１ａの移動を許容する切欠き２１ｃを設けてある。
【００３４】
図４，７に示すように、蓋体２７の下面には、可動接点板３１の４つの接触部３１ａに対応する４つの固定接点３０を設けてある。つまり、可動接点板３１と４つの固定接点３０とから、図３に示すような操作軸１０の８つの傾倒方向（矢印Ａ〜Ｈ方向）のそれぞれへの傾倒操作の検出を可能にする４つのスイッチ（以下「傾倒検出スイッチ」という）を構成してある。なお、固定接点３０は、ケース２１の外側面に沿って配置される端子３０ａと、蓋体２７の下面側から可動接点板３１側へ突出し、可動接点板３１の傾倒時に可動接点板３１の接触部３１ａが接触する接触部３０ｂとを有している。固定接点３０の端子３０ａは、ケース２１の下端部の外側面から突出させた枠部２１ｂに挿通してある。
【００３５】
また、図４に示すように、可動接点板３１とケース２１の底面との間には、導電性を有するコイルばね３２を配置してある。つまり、筐体２０内に設けられる付勢手段は、コイルばね３２と、可動接点板３１の下面からなり、コイルばね３２の一端を受けるばね受けと、ケース２１の底面からなり、コイルばね３２の他端を受けるばね受けとから構成してある。
【００３６】
なお、コイルばね３２は、突起２１ａの外周側においてこの突起２１ａに嵌合させてある。そして、コイルばね３２を介して、突起２１ａの外周側に位置する円弧状の導電部２３ｂと可動接点板３１とが、常時導通している。また、図４，６に示すように、ガイド体３３には、操作軸１０が操作されていない状態において、可動接点板３１の各接触部３１ａと固定接点３０の各接触部３０ｂとの間隔を、所定寸法に保持する４つのスペーサ３３ｂを設けてある。各スペーサ３３ｂは、可動接点板３１の各接触部３１ａと、ガイド体３３の挿通孔３３ａの中心とを結ぶ線上のそれぞれに配置してある。
【００３７】
このように構成した本実施形態の動作について説明する。
【００３８】
＜中立時＞
コイルばね１４は、ばね受け部材１１を介して、操作軸１０を常時中立方向へ復帰させるように付勢している。また、コイルばね３２は、可動接点板３１およびガイド体３３を介して、操作軸１０を常時中立方向へ復帰させるように付勢している。したがって、操作軸１０に操作力が与えられていない状態では、操作軸１０は、図２，４に示すように中立位置に保持されている。
【００３９】
操作軸１０が中立位置に保持された状態では、操作軸１０は、コイルばね１４，３２によりケース２１に対して図２において上方へ持ち上げられた状態にあり、押圧部材２５を下方向へ押圧していない。したがって、導電部材２４は、固定接点２２から離れている。つまり、押圧検出スイッチは、オフしている。
【００４０】
操作軸１０が中立位置に保持された状態では、ガイド体３３の各スペーサ３３ｂは、可動接点板３１と蓋体２７の下面とに挟まれ、固定接点３０の各接触部３０ａと可動接点板３１の各接触部３１ａとの間隔を、所定寸法に保持している。つまり、４つの傾倒検出スイッチのすべてがオフしている。
【００４１】
＜傾倒操作時＞
操作軸１０が中立位置にある状態で、操作者がつまみ１を手指で操作し、例えば図３に示す矢印Ａ〜Ｈ方向のうちの矢印Ａ方向の操作力を与えると、操作軸１０は、図１５に示すように、矢印Ａ方向と反対側に位置するガイド体３３のスペーサ３３ｂと、蓋体２７の下面との接点を支点として、コイルばね１４，３２を図１４，１５に示すように圧縮するように変形させて矢印Ａ方向へ傾倒する。
【００４２】
操作軸１０の傾倒は、ガイド孔２７ａの内周面に対するガイド体３３のガイド面３３ｃの摺動と、押圧部材２５の受け部２５ａに対する操作軸１０の下端の摺動とによりガイドされる。また、操作軸１０の傾倒に伴う可動接点板３１の各接触部３１ａの移動は、ケース２１の各切欠き２１ｃにより許容される。そして、可動接点板３１の４つの接触部３１ａのうち、操作軸１０の傾倒方向（矢印Ａ方向）と反対側に位置する接触部３１ａ、すなわち、図１５の右側の接触部３１ａが、自身に対応する固定接点３０の接触部３０ｂ、すなわち、同図５の右側の接触部３０ｂに接触する。
【００４３】
図３に示す矢印Ｂ〜Ｄ方向のそれぞれへ操作軸１０が傾倒した場合も同様に、操作軸１０の傾倒方向と反対側に位置する、可動接点板３１の接触部３１ａと固定接点３０の接触部３０ｂとが、接触する。また、同図３に示す矢印Ａ，Ｂの間の方向である矢印Ｅ方向、矢印Ｂ，Ｃの間の方向である矢印Ｆ方向、矢印Ｃ，Ｄの間の方向である矢印Ｇ方向、矢印Ｄ，Ａの間の方向である矢印Ｈ方向へ操作軸１０が傾倒した場合、操作軸１０の傾倒方向と反対側に位置する、可動接点板３１の２つの接触部３１ａと２つの固定接点３０の接触部３０ｂとが、接触する。つまり、４つの傾倒検出スイッチのうちの、操作軸１０の傾倒方向に対応するものがオンする。これにより、図５の右側の固定接点３０（接触部３０ｂ）が、可動接点板３１、コイルばね３２、導電部２３ｂと介して、コモン接点２３（端子２３ａ）と導通した状態となる。
【００４４】
操作者がつまみ１から手指を離し、操作軸１０に操作力を与えるのをやめると、操作軸１０はコイルばね１４，３２の復元に伴って中立位置へ戻される。これに伴い、可動接点板３１の接触部３１ａのすべてが、固定接点３０の接触部３０ｂから離れた状態に戻る。つまり、４つの傾倒検出スイッチがすべてオフする。
【００４５】
＜押圧操作時＞
操作者がつまみ１を手指で押圧し、操作軸１０に下方向の操作力を与えると、操作軸１０は、コイルばね１４、ゴム体２６等の弾性力に抗して下方向へ移動し、押圧部材２５を介して導電部材２４を下方向へ押圧操作する。これに伴い、導電部材２４は変形し、固定接点２２に接触する。つまり、押圧検出スイッチがオンする。
【００４６】
操作者がつまみ１から手指を離し、操作軸１０に操作力を与えるのをやめると、操作軸１０はコイルばね１４、ゴム体２６、導電部材２４の復元に伴って元の位置（図４に示す位置）まで押し上げられる。これに伴い、導電部材２４は、押圧部材２５を押し戻しつつ復元し、固定接点２２から離れる。つまり、押圧検出スイッチがオフする。
【００４７】
本実施形態によれば、次の効果を得られる。
【００４８】
本実施形態では、別の付勢手段のコイルばね１４を、ばね定数の異なる別のものに変更することによって、操作軸１０を傾倒させるために必要な作動力を変更することができる。また、筐体２０の内部よりも寸法の制限が小さい筐体２０の外部に、別の付勢手段のコイルばね１４と第１ばね受け１１ａを設けてあるので、コイルばね１４や第１ばね受け１１ａの寸法の変更を容易に行うことができる。これらのことから、作動力を容易に変更することができ、特にコイルばね１４の寸法を大きくして作動力を増大させることを容易に行うことができる。
【００４９】
また、操作軸１０および筐体２０は共通部品とすることができる。これにより、作動力の変更の要求に対して容易に対応することができる。
【００５０】
また、本実施形態では、コイルばね１４の復元力が操作軸１０と筐体２０とに作用するので、筐体２０に対する操作軸１０のガタつきを低減することができる。
【００５１】
また、本実施形態では、操作軸１０をばね受け部材１１の内筒部１１ｂに挿通し、操作軸１０の雄ねじ部１０ｃにナット１３を螺合させることによって、ナット１３と阻止部１０ａ，１０ｂとの間に、ばね受け部材１１を固定してある。これにより、ばね受け１１ａを、簡単かつ確実に操作軸に設けることができる。また、阻止部１０ａ，１０ｂを設けたことから、ばね受け部材１１（ばね受け１１ａ）の位置が精度良く定まり、操作軸１０の作動力のバラツキを抑制することができる。
【００５２】
また、本実施形態では、ばね受け部材１１につまみ１を取付けてある。つまり、操作軸１０の軸方向に直交する方向おける寸法が、操作軸１０よりも大きなばね受け部材１１に、つまみ１を取付けてある。これにより、操作軸１０に対するつまみ１の安定性を向上させることができる。
【００５３】
また、本実施形態では、操作軸１０が軸方向へ押圧操作可能に設けられ、筐体２０の内部に、操作軸１０の押圧操作を検出するスイッチ、すなわち、導電部材２４、固定接点２２およびコモン接点２３を備えているので、プッシュスイッチ付きの多方向入力装置としても使用できる。
【００５４】
また、本実施形態では、別の付勢手段のコイルばね１４を、ばね定数の異なる別のものに変更することで、操作軸１０を軸方向へ移動させるために必要な作動力、すなわちプッシュスイッチの作動力を変更することができる。
【００５５】
なお、本実施形態では、コイルばね１４が、筐体２０の上面、すなわち固定部材２９の円板部２９ｂに載置可能な大きさなので、円板部２９ｂをコイルばね１４のばね受けとした例であるが、本発明はこれに限るものではない。筐体２０をコイルばね１４内に配置し、筐体２０を設置する図示しない基板をばね受けとしてもよい。また、金属板からなる固定部材２９（筐体２０）上に、合成樹脂からなるスペーサ等を載置し、コイルばね１４の下端（他端）を、筐体２０側に設けた該スペーサ等によって受けるようにしてもよい。
【００５６】
また、本実施形態では、操作軸１０の傾倒方向を検出する手段を、可動接点板３１と４つの固定接点３０とから構成したスイッチとしたが、本発明はこれに限るものではなく、電気抵抗の変化により操作軸１０の傾倒方向を検出するものにしてもよい。
【図面の簡単な説明】
【００５７】
【図１】本発明の多方向入力装置の一実施形態の分解斜視図である。
【図２】図１に示す実施形態の要部を断面で示す部分断面図である。
【図３】図１に示す入力装置本体の上面図である。
【図４】図１に示す入力装置本体の内部を示す縦断面図である。
【図５】図１に示す入力装置本体に備えられる筐体（ケース）の上面図である。
【図６】図４に示す可動接点板およびガイド体の上面図である。
【図７】図４に示す蓋体および固定接点の下面図である。
【図８】図４に示す押圧部材の上面図である。
【図９】図８に示す押圧部材の縦断面図である。
【図１０】図８に示す押圧部材の下面図である。
【図１１】図４に示すゴム体の上面図である。
【図１２】図１１に示すゴム体の縦断面図である。
【図１３】図１１に示すゴム体の下面図である。
【図１４】図２に示す要部の傾倒操作時の状態の一例を示す部分断面図である。
【図１５】図４に示す入力装置本体の内部の傾倒操作時の状態の一例を示す縦断面図である。
【符号の説明】
【００５８】
１      つまみ
１ａ    嵌合穴
１ｂ    平面
１０    操作軸
１０ａ  阻止部
１０ｂ  阻止部
１０ｃ  雄ねじ部
１０ｄ  平面
１０ｅ  平面
１１    ばね受け部材
１１ａ  第１ばね受け（別の付勢手段）
１１ｂ  内筒部
１１ｃ  外筒部
１１ｄ  当接部
１１ｅ  当接部
１１ｆ  平面
１１ｇ  平面
１３    ナット
１４    コイルばね（別の付勢手段）
１５    入力装置本体
２０    筐体
２１    ケース
２１ａ  突起
２１ｂ  枠部
２１ｃ  切欠き
２２    固定接点
２２ａ  端子
２３    コモン接点
２３ａ  端子
２３ｂ  導電部
２４    導電部材
２５    押圧部材
２５ａ  受け面
２５ｂ  突起
２６    ゴム体
２６ａ  嵌合孔
２７    蓋体
２７ａ  ガイド孔
２８    収納空間
２９    固定部材
２９ａ  挿通孔
２９ｂ  円板部（第２ばね受け）〔別の付勢手段〕
２９ｃ  脚部
３０    固定接点
３０ａ  端子
３０ｂ  接触部
３１    可動接点板
３１ａ  接触部
３２    コイルばね（付勢手段）
３３    ガイド体
３３ａ  挿通孔
３３ｂ  スペーサ
３３ｃ  ガイド面
３３ｄ  平面
【図１】
2006294303.tif 000003
【図２】
2006294303.tif 000004
【図３】
2006294303.tif 000005
【図４】
2006294303.tif 000006
【図５】
2006294303.tif 000007
【図６】
2006294303.tif 000008
【図７】
2006294303.tif 000009
【図８】
2006294303.tif 000010
【図９】
2006294303.tif 000011
【図１０】
2006294303.tif 000012
【図１１】
2006294303.tif 000013
【図１２】
2006294303.tif 000014
【図１３】
2006294303.tif 000015
【図１４】
2006294303.tif 000016
【図１５】
2006294303.tif 000017